【手続補正書】
【提出日】平成19年11月20日(2007.11.20)
【手続補正１】
【補正対象書類名】特許請求の範囲
【補正対象項目名】全文
【補正方法】変更
【補正の内容】
【特許請求の範囲】
【請求項１】
端末装置によるグループ通話を実現するＰｏＣグループセッションを行うためのＰｏＣ通信サーバ装置であって、前記ＰｏＣグループセッションの招待時に、被招待者の端末装置に対応するアドレスを、被招待者の端末装置に通知する手段を含むことを特徴とするＰｏＣ通信サーバ装置。
【請求項２】
端末装置によるグループ通話を実現するＰｏＣグループセッションを行うためのＰｏＣ通信サーバ装置であって、前記ＰｏＣグループに含まれる端末装置に対応するユーザアドレスを、前記ＰｏＣグループに含まれる他の端末装置に対して通知するか非通知にするかの設定を制御する手段を含むことを特徴とするＰｏＣ通信サーバ装置。
【請求項３】
端末装置によるグループ通話を実現するＰｏＣグループセッションを行うためのＰｏＣ通信サーバ装置であって、前記ＰｏＣグループに含まれる端末装置に対応するユーザアドレスについて非通知にするための非通知指令を取得する非通知指令取得手段と、前記非通知指令取得手段が取得した前記非通知指令に係るユーザアドレスを前記ＰｏＣグループに含まれる他の端末装置に対して非通知に設定するための非通知設定指令を該他の端末装置に送信する非通知設定手段とを含むことを特徴とするＰｏＣ通信サーバ装置。
【請求項４】
前記ＰｏＣグループに含まれる端末装置それぞれのユーザアドレスが非通知に設定されているかどうかを示す非通知設定情報が複数の装置に跨って管理されている場合、前記非通知指令取得手段は、他の装置から前記非通知設定情報を含む前記非通知指令を取得することを特徴とする請求項３記載のＰｏＣ通信サーバ装置。
【請求項５】
前記非通知設定指令は、ユーザアドレスと、前記ユーザアドレスを非通知に設定するか否かを示す識別子とを含むことを特徴とする請求項３又は４記載のＰｏＣ通信サーバ装置。
【請求項６】
前記非通知設定指令は、ユーザアドレスと、前記ユーザアドレスの代わりに、各端末装置の表示画面に表示すべき内容を示すＤＩＳＰＬＡＹＮＡＭＥ情報とを含むことを特徴とする請求項３又は４記載のＰｏＣ通信サーバ装置。
【請求項７】
前記非通知設定指令は、前記ＰｏＣグループに含まれる端末装置に対応するユーザアドレスを含まず、非通知設定に設定されている端末の数を示す情報を含むことを特徴とする請求項３又は４記載のＰｏＣ通信サーバ装置。
【請求項８】
前記非通知指令取得手段は、前記非通知設定指令を、
非通知に設定することを希望する端末装置から前記ＰｏＣグループセッション開始前に、
発信側の端末装置から前記ＰｏＣグループセッションの開始の際に、
非通知に設定することを希望する端末装置から前記ＰｏＣグループセッションによる通信中に、
の少なくとも１つのタイミングで取得することを特徴とする請求項３から請求項７までのいずれか１項に記載のＰｏＣ通信サーバ装置。
【請求項９】
他の端末装置と共にグループ通話を実現するＰｏＣグループセッションを行う端末装置であって、自端末のユーザアドレスを、前記ＰｏＣグループに含まれる他の端末装置に対して非通知にする非通知指令を送信する非通知指令送信手段を含むことを特徴とする端末装置。
【請求項１０】
前記非通知指令送信手段は、前記非通知設定指令を、
自装置が非通知に設定することを希望する端末装置である場合に前記ＰｏＣグループセッション開始前に、
自装置が発信側の端末装置である場合に前記ＰｏＣグループセッションの開始の際に、
自装置が非通知に設定することを希望する端末装置である場合に前記ＰｏＣグループセッションによる通信中に、
の少なくとも１つのタイミングで送信することを特徴とする請求項９記載の端末装置。
【請求項１１】
他の端末装置と共にグループ通話を実現するＰｏＣグループセッションを行う端末装置であって、前記ＰｏＣグループに含まれる端末装置に対応するユーザアドレスについて非通知にする非通知設定指令を受信した場合、該ユーザアドレスについて非通知である旨を示す内容を自端末に表示する表示制御手段を含むことを特徴とする端末装置。
【請求項１２】
前記非通知設定指令は、ユーザアドレスと、前記ユーザアドレスを非通知に設定するか否かを示す識別子とを含み、前記表示制御手段は、前記識別子の内容に応じて非通知である旨の表示を行うことを特徴とする請求項１１記載の端末装置。
【請求項１３】
前記非通知設定指令は、ユーザアドレスと、前記ユーザアドレスの代わりに、各端末装置の表示画面に表示すべき内容を示すＤＩＳＰＬＡＹＮＡＭＥ情報とを含み、前記表示制御手段は、前記ＤＩＳＰＬＡＹＮＡＭＥ情報の内容を表示することを特徴とする請求項１１記載の端末装置。
【請求項１４】
前記非通知設定指令は、前記ＰｏＣグループに含まれる端末装置に対応するユーザアドレスを含まず、非通知設定に設定されている端末の数を示す情報を含み、前記表示制御手段は、前記端末の数に応じて非通知である旨の表示を行うことを特徴とする請求項１１記載の端末装置。
【請求項１５】
端末装置によるグループ通話を実現するＰｏＣグループセッションを行うＰｏＣ通信方法であって、前記ＰｏＣグループに含まれる端末装置に対応するユーザアドレスについて非通知にするための非通知指令を取得する非通知指令取得ステップと、前記非通知指令取得ステップにおいて取得した前記非通知指令に係るユーザアドレスを前記ＰｏＣグループに含まれる他の端末装置に対して非通知に設定するための非通知設定指令を該他の端末装置に送信する非通知設定ステップとを含むことを特徴とするＰｏＣ通信方法。
【請求項１６】
前記ＰｏＣグループに含まれる端末装置それぞれのユーザアドレスが非通知に設定されているかどうかを示す非通知設定情報が複数の装置に跨って管理されている場合、前記非通知指令取得ステップにおいては、それら複数の装置のうちいずれか１つの装置が他の装置から前記非通知設定情報を含む前記非通知指令を取得することを特徴とする請求項１５記載のＰｏＣ通信方法。
【請求項１７】
前記非通知設定指令は、前記ＰｏＣグループセッションの開始前に、非通知に設定することを希望する端末装置から送信されることを特徴とする請求項１５記載のＰｏＣ通信方法。
【請求項１８】
前記非通知設定指令は、前記ＰｏＣグループセッションの開始の際に、発信者側の端末装置から送信されることを特徴とする請求項１５記載のＰｏＣ通信方法。
【請求項１９】
前記非通知設定指令は、前記ＰｏＣグループセッションによる通信中に、端末装置から送信されることを特徴とする請求項１５記載のＰｏＣ通信方法。
【請求項２０】
前記非通知設定指令は、ユーザアドレスと、前記ユーザアドレスを非通知に設定するか否かを示す識別子とを含むことを特徴とする請求項１５から請求項１９までのいずれか１項に記載のＰｏＣ通信方法。
【請求項２１】
前記非通知設定指令は、ユーザアドレスと、前記ユーザアドレスの代わりに、各端末装置の表示画面に表示すべき内容を示すＤＩＳＰＬＡＹＮＡＭＥ情報とを含むことを特徴とする請求項１５から請求項１９までのいずれか１項に記載のＰｏＣ通信方法。
【請求項２２】
前記非通知設定指令は、前記ＰｏＣグループに含まれる端末装置に対応するユーザアドレスを含まず、非通知設定に設定されている端末の数を示す情報を含むことを特徴とする請求項１５から請求項１９までのいずれか１項に記載のＰｏＣ通信方法。
【手続補正２】
【補正対象書類名】明細書
【補正対象項目名】０００５
【補正方法】変更
【補正の内容】
【０００５】
本発明の請求項１によるＰｏＣ通信サーバ装置は、端末装置によるグループ通話を実現するＰｏＣグループセッションを行うためのＰｏＣ通信サーバ装置であって、前記ＰｏＣグループセッションの招待時に、被招待者の端末装置に対応するアドレスを、被招待者の端末装置に通知する手段を含むことを特徴とする。
本発明の請求項２によるＰｏＣ通信サーバ装置は、端末装置によるグループ通話を実現するＰｏＣグループセッションを行うためのＰｏＣ通信サーバ装置であって、前記ＰｏＣグループに含まれる端末装置に対応するユーザアドレスを、前記ＰｏＣグループに含まれる他の端末装置に対して通知するか非通知にするかの設定を制御する手段を含むことを特徴とする。
本発明の請求項３によるＰｏＣ通信サーバ装置は、端末装置によるグループ通話を実現するＰｏＣグループセッションを行うためのＰｏＣ通信サーバ装置であって、前記ＰｏＣグループに含まれる端末装置に対応するユーザアドレスについて非通知にするための非通知指令を取得する非通知指令取得手段と、前記非通知指令取得手段が取得した前記非通知指令に係るユーザアドレスを前記ＰｏＣグループに含まれる他の端末装置に対して非通知に設定するための非通知設定指令を該他の端末装置に送信する非通知設定手段とを含むことを特徴とする。このような構成によれば、グループメンバー全員、又は、グループの一部のユーザアドレスを、グループメンバー全員から隠す（非通知にする）ことができる。
【手続補正３】
【補正対象書類名】明細書
【補正対象項目名】０００６
【補正方法】変更
【補正の内容】
【０００６】
本発明の請求項４によるＰｏＣ通信サーバ装置は、請求項３において、前記ＰｏＣグループに含まれる端末装置それぞれのユーザアドレスが非通知に設定されているかどうかを示す非通知設定情報が複数の装置に跨って管理されている場合、前記非通知指令取得手段は、他の装置から前記非通知設定情報を含む前記非通知指令を取得することを特徴とする。非通知設定情報が複数のＰｏＣ通信サーバ装置に跨って管理されている場合、それら装置のうちの１つが他の装置から非通知設定情報を取得し、それを端末装置に送信すれば、通信サービス事業者が異なる端末装置との間でグループ通話を実現する場合でも非通知処理を実現できる。
【手続補正４】
【補正対象書類名】明細書
【補正対象項目名】０００７
【補正方法】変更
【補正の内容】
【０００７】
本発明の請求項５によるＰｏＣ通信サーバ装置は、請求項３又は４において、前記非通知設定指令は、ユーザアドレスと、前記ユーザアドレスを非通知に設定するか否かを示す識別子とを含むことを特徴とする。ユーザアドレスと共に、それを非通知に設定するか否かを示す識別子を送信することにより、ユーザアドレスについて非通知である旨を示す内容を端末装置において表示させることができる。
【手続補正５】
【補正対象書類名】明細書
【補正対象項目名】０００８
【補正方法】変更
【補正の内容】
【０００８】
本発明の請求項６によるＰｏＣ通信サーバ装置は、請求項３又は４において、前記非通知設定指令は、ユーザアドレスと、前記ユーザアドレスの代わりに、各端末装置の表示画面に表示すべき内容を示すＤＩＳＰＬＡＹＮＡＭＥ情報とを含むことを特徴とする。ユーザアドレスを表示する代わりに表示すべき内容を送信することにより、端末装置においてはその内容を単に表示させればよい。
【手続補正６】
【補正対象書類名】明細書
【補正対象項目名】０００９
【補正方法】変更
【補正の内容】
【０００９】
本発明の請求項７によるＰｏＣ通信サーバ装置は、請求項３又は４において、前記非通知設定指令は、前記ＰｏＣグループに含まれる端末装置に対応するユーザアドレスを含まず、非通知設定に設定されている端末の数を示す情報を含むことを特徴とする。通知対象ユーザについてはユーザアドレスを送信するのに対し、非通知対象ユーザについてはユーザアドレス自体を送信しないので、無線区間のネットワークリソースを有効活用することができる。
【手続補正７】
【補正対象書類名】明細書
【補正対象項目名】００１０
【補正方法】変更
【補正の内容】
【００１０】
本発明の請求項８によるＰｏＣ通信サーバ装置は、請求項３から請求項７までのいずれか１項において、
前記非通知指令取得手段は、前記非通知設定指令を、
非通知に設定することを希望する端末装置から前記ＰｏＣグループセッション開始前に、
発信側の端末装置から前記ＰｏＣグループセッションの開始の際に、
非通知に設定することを希望する端末装置から前記ＰｏＣグループセッションによる通信中に、
の少なくとも１つのタイミングで取得することを特徴とする。
本発明の請求項９による端末装置は、他の端末装置と共にグループ通話を実現するＰｏＣグループセッションを行う端末装置であって、自端末のユーザアドレスを、前記ＰｏＣグループに含まれる他の端末装置に対して非通知にする非通知指令を送信する非通知指令送信手段を含むことを特徴とする。このような構成によれば、グループメンバー全員、又は、グループの一部のユーザアドレスを、グループメンバー全員から隠す（非通知にする）ことができる。
本発明の請求項１０による端末装置は、請求項９において、
前記非通知指令送信手段は、前記非通知設定指令を、
自装置が非通知に設定することを希望する端末装置である場合に前記ＰｏＣグループセッション開始前に、
自装置が発信側の端末装置である場合に前記ＰｏＣグループセッションの開始の際に、
自装置が非通知に設定することを希望する端末装置である場合に前記ＰｏＣグループセッションによる通信中に、
の少なくとも１つのタイミングで送信することを特徴とする。
【手続補正８】
【補正対象書類名】明細書
【補正対象項目名】００１１
【補正方法】変更
【補正の内容】
【００１１】
本発明の請求項１１による端末装置は、他の端末装置と共にグループ通話を実現するＰｏＣグループセッションを行う端末装置であって、前記ＰｏＣグループに含まれる端末装置に対応するユーザアドレスについて非通知にする非通知設定指令を受信した場合、該ユーザアドレスについて非通知である旨を示す内容を自端末に表示する表示制御手段を含むことを特徴とする。このような構成によれば、グループメンバー全員、又は、グループの一部のユーザアドレスを、グループメンバー全員から隠す（非通知にする）ことができる。
【手続補正９】
【補正対象書類名】明細書
【補正対象項目名】００１２
【補正方法】変更
【補正の内容】
【００１２】
本発明の請求項１２による端末装置は、請求項１１において、前記非通知設定指令は、ユーザアドレスと、前記ユーザアドレスを非通知に設定するか否かを示す識別子とを含み、前記表示制御手段は、前記識別子の内容に応じて非通知である旨の表示を行うことを特徴とする。ユーザアドレスと共に、それを非通知に設定するか否かを示す識別子を送信することにより、ユーザアドレスについて非通知である旨を示す内容を端末装置において表示させることができる。
【手続補正１０】
【補正対象書類名】明細書
【補正対象項目名】００１３
【補正方法】変更
【補正の内容】
【００１３】
本発明の請求項１３による端末装置は、請求項１１において、前記非通知設定指令は、ユーザアドレスと、前記ユーザアドレスの代わりに、各端末装置の表示画面に表示すべき内容を示すＤＩＳＰＬＡＹＮＡＭＥ情報とを含み、前記表示制御手段は、前記ＤＩＳＰＬＡＹＮＡＭＥ情報の内容を表示することを特徴とする。ユーザアドレスを表示する代わりに表示すべき内容を送信することにより、端末装置においてはその内容を単に表示させればよい。
【手続補正１１】
【補正対象書類名】明細書
【補正対象項目名】００１４
【補正方法】変更
【補正の内容】
【００１４】
本発明の請求項１４による端末装置は、請求項１１において、前記非通知設定指令は、前記ＰｏＣグループに含まれる端末装置に対応するユーザアドレスを含まず、非通知設定に設定されている端末の数を示す情報を含み、前記表示制御手段は、前記端末の数に応じて非通知である旨の表示を行うことを特徴とする。通知対象ユーザについてはユーザアドレスを送信するのに対し、非通知対象ユーザについてはユーザアドレス自体を送信しないので、ネットワークリソースの浪費を防止することができる。
【手続補正１２】
【補正対象書類名】明細書
【補正対象項目名】００１５
【補正方法】変更
【補正の内容】
【００１５】
本発明の請求項１５によるＰｏＣ通信方法は、端末装置によるグループ通話を実現するＰｏＣグループセッションを行うＰｏＣ通信方法であって、前記ＰｏＣグループに含まれる端末装置に対応するユーザアドレスについて非通知にするための非通知指令を取得する非通知指令取得ステップ（例えば、図８中のステップＳ２２に対応）と、前記非通知指令取得ステップにおいて取得した前記非通知指令に係るユーザアドレスを前記ＰｏＣグループに含まれる他の端末装置に対して非通知に設定するための非通知設定指令を該他の端末装置に送信する非通知設定ステップ（例えば、図８中のステップＳ２７に対応）とを含むことを特徴とする。このような構成によれば、グループメンバー全員、又は、グループの一部のユーザアドレスを、グループメンバー全員から隠す（非通知にする）ことができる。
【手続補正１３】
【補正対象書類名】明細書
【補正対象項目名】００１６
【補正方法】変更
【補正の内容】
【００１６】
本発明の請求項１６によるＰｏＣ通信方法は、請求項１５において、前記ＰｏＣグループに含まれる端末装置それぞれのユーザアドレスが非通知に設定されているかどうかを示す非通知設定情報が複数の装置に跨って管理されている場合、前記非通知指令取得ステップにおいては、それら複数の装置のうちいずれか１つの装置が他の装置から前記非通知設定情報を含む前記非通知指令を取得する（例えば、図２４中のステップＳ６１〜Ｓ６３に対応）ことを特徴とする。非通知設定情報が複数のＰｏＣ通信サーバ装置に跨って管理されている場合、それら装置のうちの１つが他の装置から非通知設定情報を取得し、それを端末装置に送信すれば、通信サービス事業者が異なる端末装置との間でグループ通話を実現する場合でも非通知処理を実現できる。
【手続補正１４】
【補正対象書類名】明細書
【補正対象項目名】００１７
【補正方法】変更
【補正の内容】
【００１７】
本発明の請求項１７によるＰｏＣ通信方法は、請求項１５において、前記非通知設定指令は、前記ＰｏＣグループセッションの開始前に、非通知に設定することを希望する端末装置から送信されることを特徴とする。このような構成によれば、ＰｏＣグループセッションの開始前に、着信側となる端末装置から非通知に設定できる。
本発明の請求項１８によるＰｏＣ通信方法は、請求項１５において、前記非通知設定指令は、前記ＰｏＣグループセッションの開始の際に、発信者側の端末装置から送信されることを特徴とする。このような構成によれば、ＰｏＣグループセッションの開始時にグループ内の任意のユーザアドレスについて非通知に設定できる。
【手続補正１５】
【補正対象書類名】明細書
【補正対象項目名】００１８
【補正方法】変更
【補正の内容】
【００１８】
本発明の請求項１９によるＰｏＣ通信方法は、請求項１５において、前記非通知設定指令は、前記ＰｏＣグループセッションによる通信中に、端末装置から送信されることを特徴とする。このような構成によれば、ＰｏＣグループセッションの開始時において通知していたユーザアドレスを、その後に非通知に設定変更できる。
本発明の請求項２０によるＰｏＣ通信方法は、請求項１５から請求項１９までのいずれか１項において、前記非通知設定指令は、ユーザアドレスと、前記ユーザアドレスを非通知に設定するか否かを示す識別子とを含むことを特徴とする。ユーザアドレスと共に、それを非通知に設定するか否かを示す識別子を送信することにより、ユーザアドレスについて非通知である旨を示す内容を端末装置において表示させることができる。
【手続補正１６】
【補正対象書類名】明細書
【補正対象項目名】００１９
【補正方法】変更
【補正の内容】
【００１９】
本発明の請求項２１によるＰｏＣ通信方法は、請求項１５から請求項１９までのいずれか１項において、前記非通知設定指令は、ユーザアドレスと、前記ユーザアドレスの代わりに、各端末装置の表示画面に表示すべき内容を示すＤＩＳＰＬＡＹＮＡＭＥ情報とを含むことを特徴とする。ユーザアドレスを表示する代わりに表示すべき内容を送信することにより、端末装置においてはその内容を単に表示させればよい。
【手続補正１７】
【補正対象書類名】明細書
【補正対象項目名】００２０
【補正方法】変更
【補正の内容】
【００２０】
本発明の請求項２２によるＰｏＣ通信方法は、請求項１５から請求項１９までのいずれか１項において、前記非通知設定指令は、前記ＰｏＣグループに含まれる端末装置に対応するユーザアドレスを含まず、非通知設定に設定されている端末の数を示す情報を含むことを特徴とする。通知対象ユーザについてはユーザアドレスを送信するのに対し、非通知対象ユーザについてはユーザアドレス自体を送信しないので、ネットワークリソースの浪費を防止することができる。
【手続補正１８】
【補正対象書類名】明細書
【補正対象項目名】００２２
【補正方法】変更
【補正の内容】
【００２２】
この時、非通知対象ユーザとして選択されていない着信者においては、ＰｏＣセッション開始要求を受信する前に自身のユーザアドレスを非通知にする設定をしていれば、ＰｏＣ端末装置あるいはＰｏＣ通信サービス制御装置にて非通知処理を実施する。なお、ＰｏＣセッションが確立された後でも、各ユーザは自身のユーザアドレスを非通知設定することができ、ユーザの意思に従った非通知サービスが提供できる。
【手続補正１９】
【補正対象書類名】明細書
【補正対象項目名】００２５
【補正方法】変更
【補正の内容】
【００２５】
図１（ａ）は各ＰｏＣ端末装置において非通知処理を行う場合の構成を示すブロック図である。同図において、ＰｏＣ端末装置１１はＰｏＣセッション開始要求（非通知設定情報）を送信する発信者の使用する端末装置であり、図示せぬＣＰＵ、記憶部、通信部、表示部、音声入出力部などを含む移動端末としての機能を有している。また、ＰｏＣ通信サービス制御装置１０は、ＰｏＣ通信を実現する処理を行う装置であり、図示せぬＣＰＵ、記憶部、通信部などを含むＰｏＣ通信サーバとしての機能を有している。ＰｏＣ端末装置１２及び１３は、着信者の使用する端末装置であり、ＰｏＣ端末装置１１と共に、ＰｏＣグループセッションを行う。
【手続補正２０】
【補正対象書類名】明細書
【補正対象項目名】００４８
【補正方法】変更
【補正の内容】
【００４８】
（ケース２）
図１３及び図１４は、非通知処理をＰｏＣ通信サービス制御装置で実施した場合の一例を示すフローシーケンスである。
図１３は、ＰｏＣセッション要求が送出される前にユーザＢが自端末のアドレス非通知要求し、ＰｏＣセッションが確立されるまでのフローである。同図において、ＰｏＣ端末装置１２の着信側であるユーザＢが自端末のアドレスについて非通知設定を要求すると（Ｓ２０１）、ＰｏＣ通信サービス制御装置１０において、ユーザＢのアドレスは非通知に設定されたことを記憶する（Ｓ２０２）。以上のように、自端末のアドレス非通知設定要求は、ＰｏＣセッション確立状態に関わらず、任意のタイミングで送出することができる。ただし、ＰｏＣセッションが確立されるまでは、自端末アドレスの非通知設定は有効化されない。
【手続補正２１】
【補正対象書類名】明細書
【補正対象項目名】００５３
【補正方法】変更
【補正の内容】
【００５３】
（具体的な動作例）
非通知処理をＰｏＣ端末装置で実施した場合の具体的な動作例について、図１５を参照して説明する。なお、同図中の実線は、ＰｏＣ通信トラヒックを示している。
同図（ａ）において、ＰｏＣセッションが確立する以前に、ユーザＢが自身のユーザアドレス（ＳＩＰ ＵＲＩ）を非通知に設定すると、自アドレス非通知設定要求がＰｏＣ通信サービス制御装置１０に送信される（Ｓ５０１）。すると、ＰｏＣ通信サービス制御装置１０では、ユーザＢは非通知設定にしていることを記憶しておく。
【手続補正２２】
【補正対象書類名】明細書
【補正対象項目名】００５９
【補正方法】変更
【補正の内容】
【００５９】
（複数のＰｏＣ通信サービス制御装置）
ところで、ＰｏＣ通信サービス制御装置が複数存在し、それら複数のＰｏＣ通信サービス制御装置でＰｏＣ通信サービスを実現しても良い。その場合、１つのＰｏＣ通信サービス制御装置が拠点となり、拠点となるＰｏＣ通信サービス制御装置に非通知設定情報を取りまとめてＩＮＶＩＴＥを送信する。ここで、発信者と着信者とは、それぞれ別の通信サービス事業者と契約している場合を考える。この場合、発信者、着信者それぞれのＰｏＣ端末装置は、契約している通信サービス事業者のＰｏＣ通信サービス制御装置と通信を行うことができ、契約していない通信サービス事業者のＰｏＣ通信サービス制御装置とは契約している通信サービス事業者のＰｏＣ通信サービス制御装置を経由して通信を行うことができる。
【手続補正２３】
【補正対象書類名】明細書
【補正対象項目名】００６２
【補正方法】変更
【補正の内容】
【００６２】
以上のような場合において、発信者のＰｏＣ端末装置１１から、ＰｏＣ端末装置１２及びＰｏＣ端末装置１３を着信側としてＰｏＣセッション開始要求が発信されると、１つの（本例では、発側の）ＰｏＣ通信サービス制御装置１０が拠点となり、その他の（本例では、着側の）ＰｏＣ通信サービス制御装置１１０、１２０がそれぞれ保持している非通知設定情報を、拠点となるＰｏＣ通信サービス制御装置１０が取得する。１つのＰｏＣ通信サービス制御装置が拠点となり、それぞれのＰｏＣ通信サービス制御装置に保持されている非通知情報を取りまとめることで、発信者の設定した非通知情報、および、自端末装置のアドレス非通知有無に応じた非通知情報を反映したＰｏＣセッション開始要求を、拠点となるＰｏＣ通信サービス制御装置からその他のＰｏＣ通信サービス制御装置を経由して各々の着信側端末装置に対して送信することができる。
要するに、非通知設定情報が複数のＰｏＣ通信サービス制御装置に跨って管理されている場合、それら装置のうちの１つが他の装置から非通知設定情報を取得し、それを端末装置に送信すれば、通信サービス事業者が異なる端末装置との間でグループ通話を実現する場合でも非通知処理を実現できる。
【手続補正２４】
【補正対象書類名】明細書
【補正対象項目名】００６３
【補正方法】変更
【補正の内容】
【００６３】
図１８及び図１９は、上述したケース１で、非通知設定情報が複数のＰｏＣ通信サービス制御装置に跨って管理されている場合の非通知処理の一例を示すフローシーケンスであり、ＰｏＣセッション要求が送出される前にユーザＢが自端末のアドレス非通知要求し、ＰｏＣセッションが確立されるまでのフローである。図１８において、ＰｏＣ端末装置１２の着信側であるユーザＢが自端末のアドレスについて非通知設定を要求すると（Ｓ３０１）、ＰｏＣ通信サービス制御装置１１０において、ユーザＢのアドレスは非通知に設定されたことを記憶する（Ｓ３０２）。このように、自端末のアドレス非通知設定要求は、ＰｏＣセッション確立状態に関わらず、任意のタイミングで送出することができる。ただし、ＰｏＣセッションが確立されるまでは、自端末アドレスの非通知設定は有効化されない。
【手続補正２５】
【補正対象書類名】明細書
【補正対象項目名】００６７
【補正方法】変更
【補正の内容】
【００６７】
ＰｏＣ端末装置１２、ＰｏＣ端末装置１３からのＰｏＣセッション開始応答を受信したＰｏＣ通信サービス制御装置１０は、ＰｏＣセッション開始応答をＰｏＣ端末装置１１に送信する（Ｓ３２２）。これにより、ＰｏＣ端末装置１１では、ユーザＡ及びユーザＢのユーザアドレスについて、非通知処理が行われる（Ｓ３２３）。なお、ＰｏＣ端末装置１３のユーザアドレス（ユーザＣ）については、非通知に設定されていないので、非通知処理は行われない。その後、ＰｏＣ端末装置１１〜１３は、ＰｏＣ通信中となる（Ｓ３２４）。
【手続補正２６】
【補正対象書類名】明細書
【補正対象項目名】００７２
【補正方法】変更
【補正の内容】
【００７２】
ＰｏＣ端末装置１２、ＰｏＣ端末装置１３からのＰｏＣセッション開始応答を受信したＰｏＣ通信サービス制御装置１０は、ＰｏＣセッション開始応答をＰｏＣ端末装置１１に送信する（Ｓ４２２）。これにより、ＰｏＣ端末装置１１では、ユーザＡ及びユーザＢのユーザアドレスについて、非通知処理が行われる（Ｓ４２３）。なお、ＰｏＣ端末装置１３のユーザアドレス（ユーザＣ）については、非通知に設定されていないので、非通知処理は行われない。その後、ＰｏＣ端末装置１１〜１３は、ＰｏＣ通信中となる（Ｓ４２４）。
【手続補正２７】
【補正対象書類名】明細書
【補正対象項目名】００７４
【補正方法】変更
【補正の内容】
【００７４】
また、図２３は、上記図２０及び図２１の場合における各ＰｏＣセッション着信者の端末装置の動作例を示すフローチャートである。同図において、ＰｏＣセッション発信者側の端末からＰｏＣセッション開始要求を受信すると（ステップＳ４８）、その要求に含まれている非通知情報の内容及び非通知対象ユーザの数の値を確認する（ステップＳ４９）。この確認の結果、非通知が設定されていれば、受信した非通知設定端末数に応じて非通知設定処理を実行する（ステップＳ５０→Ｓ５１）。これにより、非通知対象ユーザのアドレスを“非通知”表示とする（ステップＳ５２）。
着信者の端末装置における非通知表示が完了したら、ＰｏＣセッション開始応答をＰｏＣ通信サービス制御装置へ送出する（ステップＳ５３）。
なお、ステップＳ４９の確認の結果、非通知が設定されていなければ、そのままＰｏＣセッション開始応答を送出する（ステップＳ５０→Ｓ５３）。
【手続補正２８】
【補正対象書類名】明細書
【補正対象項目名】００７５
【補正方法】変更
【補正の内容】
【００７５】
図２４は、上記図２０及び図２１の場合におけるＰｏＣセッションの開始要求／応答の送受信時におけるＰｏＣ通信サービス制御装置の非通知設定動作例を示すフローチャートである。同図において、非通知設定条件付きのＰｏＣセッション開始要求を受信すると（ステップＳ６１）、グループ通話のメンバーとして指定されているＰｏＣ端末装置のユーザアドレスについての非通知設定情報が複数のＰｏＣ通信サービス制御装置に跨って管理されているか判断する（ステップＳ６２）。複数のＰｏＣ通信サービス制御装置に跨って管理されている場合には、他のＰｏＣ通信サービス制御装置に非通知設定情報要求を送信し、ＰｏＣ端末装置のユーザアドレスについての非通知設定情報を確認して、非通知設定情報を含む非通知指令を取得する（ステップＳ６３）。非通知設定情報が複数のＰｏＣ通信サービス制御装置に跨って管理されていない場合は、他のＰｏＣ通信サービス制御装置への非通知設定情報要求は送信しない。
【手続補正２９】
【補正対象書類名】明細書
【補正対象項目名】００７６
【補正方法】変更
【補正の内容】
【００７６】
その後、ＰｏＣ通信サービス制御装置は、ＰｏＣセッション開始要求及び非通知設定情報要求に対する応答に含まれている非通知条件を記憶する（ステップＳ６４）。その後、非通知条件の確認及び判定を行う（ステップＳ６５）。
そして、非通知設定情報を更新する必要がある場合、非通知判定結果に基づき、非通知設定情報を更新した後（ステップＳ６６→Ｓ６７）、非通知設定情報を含んだＰｏＣセッション開始要求を全着信ユーザへ送出する（ステップＳ６８）。一方、非通知設定情報を更新する必要がない場合、更新せず、非通知設定情報を含んだＰｏＣセッション開始要求を全着信ユーザへ送出する（ステップＳ６６→Ｓ６８）。
ＰｏＣ通信サービス制御装置は、少なくとも一つのＰｏＣセッション開始応答を受信することができれば、着信者へ送出したときと同様の非通知設定情報をＰｏＣセッション開始応答に付加して発信者の端末装置へ送出する（ステップＳ６９→Ｓ７０）。なお、着信ユーザからの応答がない場合は、そのまま処理が終了となる。
【手続補正３０】
【補正対象書類名】明細書
【補正対象項目名】００８９
【補正方法】変更
【補正の内容】
【００８９】
（６）上記非通知設定指令は、端末装置において画面に表示すべき表示内容を含み、上記非通知設定手段は、上記表示内容を、非通知である旨を示す内容に書き替えることを特徴とする（１）項から（４）項までのいずれか１項に記載のＰｏＣ通信システム。このような構成によれば、高機能なＰｏＣ通信サービス制御装置を利用し、グループメンバー全員、又は、グループの一部のユーザアドレスを、グループメンバー全員から隠す（非通知にする）ことができる。